(57)【要約】【課題】吹出口への風量分配に優れ、かつ吹出口の配置の自由度を高くすることができる空調装置を提供する。【解決手段】送風機１６は、各吹出口１４の位置関係については、最も左右方向Ｘの左方側（配置方向の一方側、図１の右方側）に位置する吹出口１４ａが送風機１６と最も近く、最も左右方向Ｘの右方側（最も配置方向の他方側、図１の左方側）に位置する吹出口１４ｂが、送風機１６と最も遠い。したがって送風機１６は、ユニットケース１２内にて左右方向Ｘの一方側寄りに位置する。これによって左右方向の一方から、各吹出口１４に送風することによって、風量を各吹出口１４に好適に分配できるようにして、均等な風量割合に近づけることができる。【選択図】図１
2014101034.tif 000002
【特許請求の範囲】
【請求項１】
外側の空気を内部に吸入するための吸込口（１３）、および内部から外側へ空気を吹き出すための複数の吹出口（１４，１４ａ，１４ｂ）が設けられたユニットケース（１２）と、
前記ユニットケース内に設けられ、前記吸込口から前記空気を吸入して、前記吸入した前記空気を前記吹出口を介して前記ユニットケースの外側へ送風する遠心式の送風機（１６）と、を含み、
前記複数の吹出口は、予め定める配置方向に並んで設けられ、
前記各吹出口と前記送風機との距離は、最も前記配置方向の一方側に位置する吹出口（１４ａ）が前記送風機と最も近く、最も前記配置方向の他方側に位置する吹出口（１４ｂ）が、前記送風機と最も遠いことを特徴とする空調装置。
【請求項２】
前記ユニットケース内には、前記送風機から送風された空気を複数の前記吹出口に分配するための分配空間（５１）が形成され、
前記分配空間には、前記送風機から送風される空気を、各吹出口に導く通路が形成されていることを特徴とする請求項１に記載の空調装置。
【請求項３】
前記ユニットケース内には、通過する空気を冷却または加熱する熱交換器（１５）をさらに含み、
前記熱交換器は、最も前記配置方向の他方側に位置する前記吹出口と最も近く、最も前記配置方向の一方側に位置する前記吹出口と最も遠い位置に配置されていることを特徴とする請求項１または２に記載の空調装置。
【請求項４】
前記ユニットケースの外壁に設けられ、前記送風機を操作するための操作部（５２）をさらに含み、
前記操作部は、複数の前記吹出口の間に配置されていることを特徴とする請求項１〜３のいずれか１つに記載の空調装置。
【請求項５】
前記ユニットケースの外壁に設けられ、前記送風機を操作するための操作部をさらに含み、
前記操作部は、前記送風機と前記熱交換器との間に配置されていることを特徴とする請求項３に記載の空調装置。
【請求項６】
前記熱交換器は、前記ユニットケース内の前記送風機の上流側に設けられることを特徴とする請求項３または５に記載の空調装置。
【請求項７】
前記熱交換器は、前記ユニットケース内の前記送風機の下流側に設けられることを特徴とする請求項３または５に記載の空調装置。
【請求項８】
前記ユニットケースは、車両に設けられ、
前記吸込口は、車室内の空気を吸入し、
前記吹出口は、前記送風機によって送風された空気を前記車室内へ吹き出すことを特徴とする請求項１〜７のいずれか１つに記載の空調装置。
【請求項９】
前記吹出口は、前記送風機によって送風された空気を前記車室の後部座席が配置される空間に向けて吹き出すことを特徴とする請求項８に記載の空調装置。
【請求項１０】
前記ユニットケースは、前記車室の天井（１１）に設けられることを特徴とする請求項８または９に記載の空調装置。
【発明の詳細な説明】
【技術分野】
【０００１】
本発明は、遠心式の送風機を用いて空調する空調装置に関する。
【背景技術】
【０００２】
従来、車両の天井置きクーラユニットは、運転席および助手席が並ぶ１列目の座席とその後列にあたる２列目の座席の間の天井に配置される。クーラユニットは、外郭がユニットケースによって構成され、ユニットケース内に送風機とエバポレータが収容される。送風機は、車両の左右方向に軸が延びるクロスフローファンが用いられ、いわゆる吸込みタイプである。このような送風機の上流側にエバポレータが配置され、送風機とエバポレータとが前後方向に並ぶようにユニットケース内に配置されている（たとえば特許文献１参照）。
【先行技術文献】
【特許文献】
【０００３】
【特許文献１】特開平１１−１５７３３０号公報
【発明の概要】
【発明が解決しようとする課題】
【０００４】
前述のようなクーラユニットではクロスフローファンを用いているので、ファンの径方向にしか風を流せず、ファンの軸方向の広い範囲で風を出したい場合は、クロスフローファンを全域に設ける必要がある。そうするとクロスフローファンが大型化するという問題がある。また一部にクロスフローファンを用いると、各吹出口から吹き出される空気の風量割合が悪くなるという問題がある。さらにクロスフローファンだと、動圧が小さいので、ファンからの吹出口までの距離を短くする必要があり、吹出口の位置が予め決まってしまうので、配置の自由度が低いという問題もある。
【０００５】
そこで、本発明は前述の問題点を鑑みてなされたものであり、吹出口への風量分配に優れ、かつ吹出口の配置の自由度を高くすることができる空調装置を提供することを目的とする。
【課題を解決するための手段】
【０００６】
本発明は前述の目的を達成するために以下の技術的手段を採用する。
【０００７】
本発明では、吸込口（１３）および複数の吹出口（１４，１４ａ，１４ｂ）とが設けられたユニットケース（１２）と、ユニットケース内に設けられる遠心式の送風機（１６）と、を含み、複数の吹出口は、予め定める配置方向に並んで設けられ、各吹出口と送風機との距離は、最も配置方向の一方側に位置する吹出口（１４ａ）が送風機と最も近く、最も配置方向の他方側に位置する吹出口（１４ｂ）が、送風機と最も遠いことを特徴とする。
【０００８】
このような本発明に従えば、遠心式の送風機を用いているので動圧を大きくすることができ、動圧が小さいクロスフローファンのような送風手段と異なり、ユニットケースの一部に送風機を配置しても、空気を吸い込んで複数の吹出口に向けて送風することができる。また送風機は、各吹出口の位置関係については、最も配置方向の一方側に位置する吹出口が送風機と最も近く、最も配置方向の他方側に位置する吹出口が、送風機と最も遠い。したがって送風機は、ユニットケース内にて配置方向の一方側寄りに位置する。これによって配置方向の一方に位置する送風機から、各吹出口に送風することによって、風量を各吹出口に好適に分配することができる。また吹出口の位置が配置方向に等間隔でなくても分配することができるので、吹出口位置の自由度向上を図ることができる。
【０００９】
なお、前述の各手段の括弧内の符号は、後述する実施形態に記載の具体的手段との対応関係を示す一例である。
【図面の簡単な説明】
【００１０】
【図１】第１実施形態の空調装置１０を示す平面図である。
【図２】空調装置１０を示す正面図である。
【図３】空調装置１０を示す側面図である。
【図４】第２実施形態の空調装置１０Ａを示す正面図である。
【図５】第３実施形態の空調装置１０Ｂを示す平面図である。
【図６】第３実施形態の空調装置１０Ｂを示す正面図である。
【発明を実施するための形態】
【００１１】
以下、図面を参照しながら本発明を実施するための形態を、複数の形態について説明する。各実施形態で先行する実施形態で説明している事項に対応している部分には同一の参照符を付すか、または先行の参照符号に一文字追加し、重複する説明を略する場合がある。また各実施形態にて構成の一部を説明している場合、構成の他の部分は、先行して説明している実施形態と同様とする。各実施形態で具体的に説明している部分の組合せばかりではなく、特に組合せに支障が生じなければ、実施形態同士を部分的に組合せることも可能である。
【００１２】
（第１実施形態）
本発明の第１実施形態に関して、図１〜図３を用いて説明する。本実施形態の空調装置１０は、たとえば自動車の車室の天井１１に設置され、車室内の後部座席側を冷房する。空調装置１０は、たとえば運転席および助手席が並ぶ１列目の座席とその後列にあたる２列目の座席の間の天井１１に配置される。このような空調装置１０は、一般にリアクーラと称されている。
【００１３】
空調装置１０は、空調装置１０の外郭を構成するユニットケース１２を有している。ユニットケース１２は、扁平な直方体形状であって、図１の左右方向が車両の左右方向Ｘに対応し、図１の上下方向が車両の前後方向Ｙに対応し、図２の上下方向が車両の上下方向Ｚに対応する。ユニットケース１２は、車両の上下方向Ｚに対応する厚みが幅および長さよりも小さい。したがって車両天井１１に沿うように配置されるので、車室空間を圧迫することを防いでいる。ユニットケース１２は、たとえば樹脂からなる。
【００１４】
車両前方側のユニットケース１２の側部には、車室内に開口する吸込口１３が形成されている。吸込口１３は、ユニットケース１２の外側の空間のある車室内の空気を吸入するための開口である。また車両後方側のユニットケース１２の側部には、車室内に開口する吹出口１４が形成されている。吹出口１４は、ユニットケース１２内から車室内に空気を吹き出すための開口である。
【００１５】
次にユニットケース１２の内部の構成に関して説明する。ユニットケース１２の内部には、蒸発器１５と送風機１６と配置されている。ユニットケース１２内部の車両左右方向Ｘの一方側（本実施形態では図１の左方側）の端部には、蒸発器１５（冷却器）が設けられている。蒸発器１５は、通過する空気と内部を流れる冷媒とを熱交換して、通過する空気を冷却する冷却用熱交換器である。蒸発器１５は、図示は省略するが、複数の冷媒流路を有し、この冷媒流路は冷凍サイクル（図示せず）と接続されている。そして蒸発器１５の入口側の冷媒回路には、例えば、温度作動式の膨張弁（図示せず）が設けられている。この膨張弁によって、冷凍サイクルの冷媒配管からの高圧液冷媒を減圧して蒸発器１５へ送り、そして蒸発器１５は、冷媒流路を流れる減圧された冷媒の蒸発潜熱を空気から吸熱して空気を冷却、除湿するようになっている。
【００１６】
蒸発器１５は、図３に示すように、車両前後方向Ｙに対して傾斜して設置され、ユニットケース１２の上側のケースの内壁と下側のケースの内壁とで固定されている。従って、蒸発器１５のうちユニットケース１２の下側に対向する面からドレイン水が落下する。
【００１７】
ユニットケース１２内部の車両左右方向Ｘの他方側（本実施形態では図１の右方側）の端部には、遠心式の送風機１６が設けられる。したがって送風機１６は、蒸発器１５とは左右方向Ｘの反対側に位置する。送風機１６は、蒸発器１５の下流側に設けられ、吸込口１３から空気を吸入して、吸入した空気を送風する電動式の送風手段である。換言すると、蒸発器１５は、送風機１６の上流側に設けられる。送風機１６は、図示しない電気回路からなる制御装置によって作動制御される。送風機１６は、図示は省略するが、遠心多翼ファン（例えばシロッコファン）と、これを駆動するモータとを含んで構成される。遠心多翼ファンの周囲は、スクロールケーシング１７で囲まれている。送風機１６の吹出口１６ａは、遠心多翼ファンの遠心方向に延びるように設けられた通風路に接続されている。
【００１８】
ユニットケース１２の下側の内壁には、蒸発器１５にて発生したドレイン水（凝縮水）をせき止める堰部１８が設けられている。堰部１８は、車両前後方向Ｙに延びる板状を成している（図２参照）。堰部１８は蒸発器１５と送風機１６との間に配置されている。堰部１８の高さは、ドレイン水の発生量及び車両の最大登坂角度等を考慮して、せき止められたドレイン水が堰部１８を乗り越えないような高さとしている。ユニットケース１２において、堰部１８のそれぞれの近傍には、堰部１８でせき止められたドレイン水をユニットケース１２外へ排出する排水口１９が設けられている。
【００１９】
排水口１９には、それぞれ、ドレイン水を車両下方へ案内するドレインホース（図示せず）が接続されている。ドレインホースは、車両下方に導かれ車外へドレイン水が排出されるようになっている。
【００２０】
次に、ユニットケース１２の構成に関してさらに説明する。吸込口１３から送風機１６に至る空気通路は、互いに異なる通路中心軸を中心にした複数の通路部を含んで構成される。通路部の通路中心軸とは、通路部の断面中心（重心）を結んだ軸である。また通路部とは、ユニットケース１２の内で、送風機１６の駆動によって空気が流れる通路を形成している部分である。
【００２１】
吸込口１３は、図１および図２に示すように、左右方向Ｘに延び、ユニットケース１２の前方側側部の上半分を占めており、長方形状に形成される。またユニットケース１２内には、吸込口１３が形成される上層と、吸込口１３が形成されていない下層とを隔てる仕切り板２０が設けられる。したがって仕切り板２０は、車両の上下方向Ｚに交差するように延びる。仕切り板２０は、ユニットケース１２内の全域ではなく、部分的に設けられ、少なくとも蒸発器１５および送風機１６が位置する部分には設けられていない。
【００２２】
複数の通路部には、吸込側通路部３１、蒸発器通路部３２および送風機側通路部３３とが含まれる。吸込側通路部３１は、吸込口１３から蒸発器１５に至る前までの通路部である。吸込側通路部３１は、図１に示すように、吸込口１３から左斜め上方に向かう通路部である。したがって吸込側通路部３１の通路中心軸は、図１に示すように左斜め上方に延びる。
【００２３】
蒸発器通路部３２は、吸込側通路部３１を通過した空気が車両下方に向かって流れて、蒸発器１５を通過し、送風機側通路部３３に至るまでの通路部である。したがって蒸発器通路部３２は、通路中心軸が上下方向Ｚに延びる（図２および図３参照）。これによって、上層に位置する吸込側通路部３１を通過した空気が、下層に位置する送風機側通路部３３に送られる。
【００２４】
送風機側通路部３３は、蒸発器通路部３２を通過した空気が図２の右方に向かって流れて、送風機１６に至るまでの通路部である。送風機側通路部３３は、吸込側通路部３１とは前述の仕切り板２０によって区画されている。また送風機側通路部３３は、通路中心軸が左右方向Ｘに延びる（図２および図３参照）。このように吸込口１３から一直線で送風機１６に至る空気通路はなく、吸込口１３から吸い込まれた空気は、吸込側通路部３１、蒸発器通路部３２および送風機側通路部３３を経て、送風機１６に吸い込まれる。具体的には、吸込口１３から吸い込まれた空気は、ユニットケース１２内でいわゆるＵターンした後、送風機１６に吸い込まれる。換言すると、吸込口１３から吸い込まれた空気は、少なくとも１回は向きが変更されて、変更後に送風機１６に吸い込まれる。したがって空気流れが異なる複数の通路部がユニットケース１２内には設けられている。
【００２５】
送風機１６に吸い込まれた空気は、吹出口１４から車室内に向けて吹き出される。吹出口１４はユニットケース１２の一つの外壁に設けられる。具体的には、吹出口１４は、図１および図２に示すように、後方側側部の外壁に左右方向Ｘ（予め定める配置方向に相当）に間隔をあけて複数、本実施形態では４つ設けられる。また吹出口１４の上下方向Ｚの位置は、互いに等しい。したがって空調装置１０が車両に搭載された状態で、車両が水平にある状態では、吹出口１４が水平方向に並んでいる。
【００２６】
各吹出口１４と送風機１６との距離は、最も左右方向Ｘの左方側（配置方向の一方側、図１の右方側）に位置する吹出口１４ａが送風機１６と最も近く、最も左右方向Ｘの右方側（最も配置方向の他方側、図１の左方側）に位置する吹出口１４ｂが、送風機１６と最も遠い。各吹出口１４は、送風機１６から等距離になく、送風機１６の吹出口１６ａの距離は各吹出口１４毎に異なる。各吹出口１４との距離は、本実施形態では各吹出口１４の中心と送風機１６のファンの中心軸との距離である。各吹出口１４との距離は、たとえば各吹出口１４の中心と送風機１６の吹出口１６ａとの距離であってもよい。
【００２７】
また各吹出口１４と蒸発器１５との距離は、最も左右方向Ｘの右方側（配置方向の他方側、図１の左方側）に位置する吹出口１４ｂと最も近く、最も左右方向Ｘの左方側（配置方向の一方側、図１の右方側）に位置する吹出口１４ａが最も遠い位置に配置されている。各吹出口１４との距離とは、各吹出口１４の中心と蒸発器１５の重心との距離である。
【００２８】
それぞれの吹出口１４は、左右方向Ｘに延びる長方形状に形成される。図１の右方の２つの吹出口１４は、助手席側の後部座席に向けて空調風を送るための開口であり、左方の２つの吹出口１４は、運転席側の後部座席に向けて空調風を送るための開口である。また吹出口１４は、図１に示すように、下方に向けて開口している。図１に示すように、送風機１６からの吹出口１４に向かう通路部は、運転席側と助手席側との２つ有する。
【００２９】
またユニットケース１２内には、送風機１６から送風された空気を複数の吹出口１４に分配するための分配空間５１（図１の一点鎖線で囲まれた空間）が形成されている。この分配空間５１は、送風機１６と蒸発器１５との間に配置されている。したがって分配空間５１は、ユニットケース１２の左右方向Ｘの中心を含む空間である。この送風機１６から送風された空気は、分配空間５１に形成される通路によって分配されて各吹出口１４に流れる。
【００３０】
送風機１６から送風された空気は、送風機１６の直後では分配空間５１内でユニットケース１２の上層を流れ、図２に示すように、各通路に分配されて途中から下層に向かって流れる。そして前述の吹出口１４から車室内に向けて送風される。このように吹出口１４が左右方向Ｘに間隔をあけて設けられるので、運転席側および助手席側の後部座席に向けて空調風を送風することができる。
【００３１】
またユニットケース１２の外壁には、空調装置１０を操作するための操作部５２が設けられる。操作部５２は、ユニットケース１２の下方側の外壁に設けられる（図２および図３参照）。操作部５２の位置は、ユニットケース１２の左右方向Ｘの中央に設けられる。したがって、複数の吹出口と操作部５２との位置関係としては、複数の吹出口１４の間に操作部５２が配置されている。また操作部５２は、ユニットケース１２の中央にあるので、送風機１６と蒸発器１５との間に配置されている。操作部５２は、空調装置１０の操作として、たとえば空調装置１０の電源のＯＮ／ＯＦＦ、送風機１６の風量を切替操作および吹出温度設定などが可能である。
【００３２】
以上説明したように本実施形態の空調装置１０は、遠心式の送風機１６を用いているので、クロスフローファンのような送風手段と異なり、ユニットケース１２の一部に送風機１６を配置しても、空気を吸い込んで吹出口１４から送風することができる。また送風機１６は、各吹出口１４の位置関係については、最も左右方向Ｘの左方側（配置方向の一方側、図１の右方側）に位置する吹出口１４ａが送風機１６と最も近く、最も左右方向Ｘの右方側（最も配置方向の他方側、図１の左方側）に位置する吹出口１４ｂが、送風機１６と最も遠い。したがって送風機１６は、ユニットケース１２内にて左右方向Ｘの一方側寄りに位置する。これによって左右方向の一方から、各吹出口１４に送風することによって、風量を各吹出口１４に好適に分配できるようにして、均等な風量割合に近づけることができる。また吹出口１４の位置が左右方向Ｘに等間隔でなくても、分配することができるので、吹出口位置の自由度向上を図ることができる。換言すると、遠心タイプの送風機１６を用い、それをユニットケース１２内の端に配置することで風量を各吹出口に分配できるようにして、風量割合の成立、吹出口位置の自由度向上を図ることができる。
【００３３】
また本実施形態では、送風機１６をユニットケース１２の端に搭載しているので、送風機１６から各吹出口１４までの通路を左右方向Ｘに延びる通路によって実現することができる。これによってユニットケース１２の前後方向Ｙの寸法を大きくせずに風量割合調整が容易にすることができる。また同様に送風機１６をユニットケース１２の端に搭載しているので、同様の理由で吹出口１４の位置設定の自由度を向上することができる。
【００３４】
また本実施形態では、ユニットケース１２内には、送風機１６から送風された空気を複数の吹出口１４に分配するための分配空間５１が形成されている。これによってユニットケース１２の中央に大きく風量分配のためのスペースを確保できる。したがって低圧損化することができる。
【００３５】
さらに本実施形態では、各吹出口１４と蒸発器１５との距離は、最も左右方向Ｘの右方側（配置方向の他方側、図１の左方側）に位置する吹出口１４ｂと最も近く、最も左右方向Ｘの左方側（配置方向の一方側、図１の右方側）に位置する吹出口１４ａが最も遠い位置に配置されている。これによって送風機１６と蒸発器１５との間を、送風機１６から吹出口１４への通路に用いることができる。したがって前述したように、風量割合の成立、吹出口位置の自由度向上を図ることができる。
【００３６】
また本実施形態では、ユニットケース１２の左右方向Ｘの一方側に送風機１６が、他方側に蒸発器１５が設けられる。したがって空調装置１０を構成する部品のうち、比較的重い部品をユニットケース１２の左右方向Ｘの両側に配置していることになる。これによって車両の天井１１に搭載した際に、車両の強度が強い部分、たとえば車両のピラー側に重い部品を配置することができる。これによって車両取付状態でのユニット強度を高くすることができる。また空調装置１０の左右方向Ｘの重量バランスもよくすることができる。
【００３７】
さらに本実施形態では、操作部５２は、複数の吹出口１４の間に配置されている。さらに操作部５２は、送風機１６と蒸発器１５との間に配置されている。操作部５２はユニットケース１２の中央に配置されているので、いろんな位置に着座している操作者の手が操作部５２に届きやすくすることができる。換言すると、前述のように吸込口位置の自由度が増すことで、操作部５２をユニットケース１２の真ん中に配置することができる。これによってユーザの操作性が良くなる。
【００３８】
さらに本実施形態では、吸込口１３から送風機１６までの通路も仕切り板２０によってＵターンするように構成されている。これによって吸込通風路を長く取ることができ、吸込騒音の低減ができる。
【００３９】
また本実施形態では、ユニットケース１２内の送風機１６の上流側に蒸発器１５が設けられる。したがって、送風機１６から吸込騒音は、蒸発器１５を通過するので、蒸発器１５にて吸込騒音を減衰させることができる。これによって吸込口１３から発する吸込騒音を低減することができる。
【００４０】
さらに本実施形態では、吹出口１４は、送風機１６によって送風された空気を車室の後部座席が配置される空間に向けて吹き出すように空調装置１０が配置される。これによって車両前方の空間がインパネ内の車両用空調装置によって空調されている場合には、その空調されている空気を吸い込んで、車両後方に送風することができる。また後部座席を空調するので、車両の前方に車両用空調装置がある場合には、併用することによって、車室内全体を空調することができる。
【００４１】
（第２実施形態）
次に、本発明の第２実施形態に関して、図４を用いて説明する。本実施形態では、蒸発器１５Ａの位置関係に特徴を有する。蒸発器１５Ａは、図６に示すように、スクロールケーシング１７の吹出口１６ａに設けられる。換言すると、蒸発器１５Ａは、送風機１６の下流側に設けられる。
【００４２】
このような本実施形態では、送風機１６から吹出口１４に至る騒音は、蒸発器１５Ａを通過するので、蒸発器１５Ａにて騒音を減衰させることができる。これによって吹出口１４から発する騒音を低減することができる。
【００４３】
（第３実施形態）
次に、本発明の第３実施形態に関して、図５および図６を用いて説明する。本実施形態では、吸込口１３Ｂの位置および送風機１６の吹出口１６ａから吹出口１４に延びる通路部２４の構成に特徴を有する。
【００４４】
吸込口１３Ｂは、図６に示すように、第１実施形態よりも左右方向Ｘの右方側（図６の左方側）に寄っている。これによって吸込口１３Ｂから覗いた場合、蒸発器１５の一部を視認することができる。このように吸込口１３Ｂから送風機１６に至る経路が短くなるので、圧損を低減することができる。
【００４５】
また送風機１６の吹出口１６ａは、左右方向Ｘの右方側（図５の左方側）に向かって開口し、それからＬ字に屈曲している通路を通過後、二股に別れる通路部２４を通過して、各吹出口１４に至る。これによって、各吹出口１４からの風量をより均等にすることができる。
【００４６】
（その他の実施形態）
以上、本発明の好ましい実施形態について説明したが、本発明は上述した実施形態に何ら制限されることなく、本発明の主旨を逸脱しない範囲において種々変形して実施することが可能である。
【００４７】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００４８】
前述の第１実施形態では、空調装置１０は車両に設けられ、車室内を空調しているが、車両用に限るものではない。たとえば、工場内でスポット的に空調する空調装置１０に適用してもよく、住居などの建物の室内を空調する空調装置１０に適用してもよい。
【００４９】
前述の第１実施形態では、吹出口１４は、車室の後方に送風機１６によって送風していたが、車室の後方に限るものではなく、前方座席が配置される空間に向けて吹き出すように配置してもよい。
【００５０】
また前述の第１実施形態では、ユニットケース１２は、車室の天井１１に設けられているが、車室の天井１１に限るものではなく、車室の内壁の他の部分、たとえばドア部の内壁に埋め込めこんでもよい。
【００５１】
また前述の第１実施形態では、熱交換器は、冷却用熱交換器によって実現されているが、冷却用に限るものではなく、加熱用熱交換器（ヒータも含む）であってもよい。また熱交換器を備えず、単に送風する機能を有する空調装置１０であってもよい。
【００５２】
また前述の第１実施形態では、吹出口１４は、ユニットケース１２の同一の外壁に複数設けられていたが、同一の外壁に限るものではない。たとえば左右方向Ｘの側部の外壁にも吹出口１４を設けてもよい。
【００５３】
また前述の第１実施形態では、操作部５２を備える構成であるが、操作部５２はユニットケース１２に一体である構成に限るものではなく、リモコンや携帯電話装置など遠隔操作手段を用いて空調装置１０を操作する構成であってもよい。
【符号の説明】
【００５４】
Ｘ…左右方向              Ｙ…前後方向          Ｚ…上下方向
１０…空調装置          １１…天井              １２…ユニットケース
１３…吸込口            １４…吹出口            １５…蒸発器（熱交換器）
１６…送風機            ３１…吸込側通路部      ３２…蒸発器通路部
３３…送風機側通路部    ５１…分配空間          ５２…操作部
【図１】
2014101034.tif 000003
【図２】
2014101034.tif 000004
【図３】
2014101034.tif 000005
【図４】
2014101034.tif 000006
【図５】
2014101034.tif 000007
【図６】
2014101034.tif 000008